(57)【要約】  本発明の一態様による採光装置は、窓の外側に日射を遮る庇や軒を有する建築構造に用いられる採光装置において、光透過性を有する第１基材と、第１基材の第１面側に設けられた光透過性を有する複数の採光部と、複数の採光部の間に設けられた空隙部と、を有する採光部材と、採光部材を支持する支持部材と、を備え、入射した光の向きを変えて庇や軒の陰となる空間へ光を射出させる。
2018003970.tif 000002
【特許請求の範囲】
【請求項１】
窓の外側に日射を遮る庇や軒を有する建築構造に用いられる採光装置において、
光透過性を有する第１基材と、前記第１基材の第１面側に設けられた光透過性を有する複数の採光部と、前記複数の採光部の間に設けられた空隙部と、を有する採光部材と、
前記採光部材を支持する支持部材と、を備え、
入射した光の向きを変えて前記庇や前記軒の陰となる空間へ光を射出させる、採光装置。
【請求項２】
前記採光部材における前記複数の採光部が設けられた微細構造面と、前記微細構造面とは反対側の背面と、のうち、少なくとも前記微細構造面を覆う透光性保護部材を備える、
請求項１に記載の採光装置。
【請求項３】
前記採光部材の光入射側及び光射出側のいずれか一方に、前記採光部材に入射する光を遮る遮光部材あるいは前記光を減光させる減光部材を備える、
請求項１または２に記載の採光装置。
【請求項４】
前記支持部材は、前記採光部材を前記建築構造に取り付けるための取付具である、
請求項１から３のいずれか一項に記載の採光装置。
【請求項５】
前記採光部材を一方向へ移動させるガイド部材を備える、
請求項１から３のいずれか一項に記載の採光装置。
【請求項６】
前記支持部材は、前記採光部材を自立させる支持脚である、
請求項１から３のいずれか一項に記載の採光装置。
【請求項７】
前記支持部材は、垂直方向に回転軸を有する、
請求項１から４のいずれか一項に記載の採光装置。
【請求項８】
複数の前記採光部材が連結部材を介して互いに連結されている、
請求項１から７のいずれか一項に記載の採光装置。
【請求項９】
複数のスラットと、
前記複数のスラットの長手方向を水平方向に向けて前記複数のスラットを連結するとともに前記複数のスラットを鉛直方向に吊り下げる形態で支持する支持機構と、を備え、
前記スラットとして、請求項１から８のいずれか一項における採光装置を採用する、
採光装置。
【請求項１０】
採光スクリーンと、
前記採光スクリーンを巻き取り自在にする巻取機構と、を備え、
前記採光スクリーンとして、請求項１から８のいずれか一項に記載の採光装置を採用する、採光装置。
【請求項１１】
複数の採光パネルと、
前記複数の採光パネルを積み上げて支持するパネル枠と、を備え、
前記採光パネルとして、請求項１から８のいずれか一項に記載の採光装置を採用する、採光装置。
【発明の詳細な説明】
【技術分野】
【０００１】
本発明の一態様は、採光装置に関するものである。
本願は、２０１６年７月１日に、日本に出願された特願２０１６−１３１４０１号に基づき優先権を主張し、その内容をここに援用する。
【背景技術】
【０００２】
建屋には窓の外側に庇や軒が設けられていることが多く、これら庇や軒によって太陽光が遮られてしまい、十分な光を室内に採り込むことができないことがある。窓のある方位や太陽の高度等により、庇や軒に相当する部分で日射が遮られてしまい、限られた時間しか太陽光を採り込むことができなかった。【０００３】
そこで、例えば、特許文献１には、建物の開口部を有する階の上階に設けられた片持ち式バルコニーの屋外側端部の底面部に、太陽光を透過拡散する光透過拡散板を垂直に取り付ける採光装置が開示されている。つまり、バルコニーの軒先に採光装置を吊り下げるように設置することで、室内に太陽光を多く採り入れる方法が提案されている。
【先行技術文献】
【特許文献】
【０００４】
【特許文献１】特許第５６８４４８０号公報
【発明の概要】
【発明が解決しようとする課題】
【０００５】
特許文献１では、本来、バルコニーやベランダの空間内に入射する太陽光の向きを変えて室内へ入射させている。そのため、そもそもバルコニーやベランダの空間に採り入れられる光の量は、従来と変わらない。また、なにもない軒先（軒の端）に採光装置を設置する場合に比べて、室内からの眺望性が低下してしまうという問題がある。【０００６】
本発明の一つの態様は、上記従来技術の問題点に鑑み成されたものであって、室内からの眺望性を低下させることなく庇や軒の影となる空間への日射を確保することのできる採光装置を提供することを目的とする。
【課題を解決するための手段】
【０００７】
本発明の一態様における採光装置は、窓の外側に日射を遮る庇や軒を有する建築構造に用いられる採光装置において、光透過性を有する第１基材と、前記第１基材の第１面側に設けられた光透過性を有する複数の採光部と、前記複数の採光部の間に設けられた空隙部と、を有する採光部材と、前記採光部材を支持する支持部材と、を備え、入射した光の向きを変えて前記庇や前記軒の陰となる空間へ光を射出させる。【０００８】
本発明の一態様における採光装置において、前記採光部材における前記複数の採光部が設けられた微細構造面と、前記微細構造面とは反対側の背面と、のうち、少なくとも前記微細構造面を覆う透光性保護部材を備える構成としてもよい。【０００９】
本発明の一態様における採光装置において、前記採光部材の光入射側及び光射出側のいずれか一方に、前記採光部材に入射する光を遮る遮光部材あるいは前記光を減光させる減光部材を備える構成としてもよい。【００１０】
本発明の一態様における採光装置において、前記支持部材は、前記採光部材を前記建築構造に取り付けるための取付具である構成としてもよい。【００１１】
本発明の一態様における採光装置において、前記採光部材を一方向へ移動させるガイド部材を備える構成としてもよい。【００１２】
本発明の一態様における採光装置において、前記支持部材は、前記採光部材を自立させる支持脚である構成としてもよい。【００１３】
本発明の一態様における採光装置において、前記支持部材は、垂直方向に回転軸を有する構成としてもよい。【００１４】
本発明の一態様における採光装置において、複数の前記採光部材が連結部材を介して互いに連結されている構成としてもよい。【００１５】
本発明の一態様における採光装置は、複数のスラットと、前記複数のスラットの長手方向を水平方向に向けて前記複数のスラットを連結するとともに前記複数のスラットを鉛直方向に吊り下げる形態で支持する支持機構と、を備え、前記スラットとして、上記の採光装置を採用する。【００１６】
本発明の一態様における採光装置は、採光スクリーンと、前記採光スクリーンを巻き取り自在にする巻取機構と、を備え、前記採光スクリーンとして、上記の採光装置を採用する。【００１７】
本発明の一態様における採光装置は、複数の採光パネルと、前記複数の採光パネルを積み上げて支持するパネル枠と、を備え、前記採光パネルとして、上記の採光装置を採用する。
【発明の効果】
【００１８】
本発明の一態様によれば、庇や軒の影となる空間への日射を確保することのできる採光装置を提供することができる。
【図面の簡単な説明】
【００１９】
【図１】第１実施形態における採光装置の設置状態を示す図。
【図２】第１実施形態における採光装置の設置状態を示す図。
【図３】第１実施形態における採光装置の構成を示す断面図。
【図４】採光装置を設置していないベランダ内の日影を示す図。
【図５】第１実施形態における採光装置が設置されたベランダの日射状態を示す図。
【図６】第１実施形態における採光装置の効果を説明するための図。
【図７】柵に一体化された採光装置による採光状態を示す図。
【図８Ａ】第１実施形態における採光部材の変形例を示す第１の図。
【図８Ｂ】第１実施形態における採光部材の変形例を示す第２の図。
【図８Ｃ】第１実施形態における採光部材の変形例を示す第３の図。
【図８Ｄ】第１実施形態における採光部材の変形例を示す第４の図。
【図９】第２実施形態における採光装置の全体構成を示す斜視図。
【図１０】第２実施形態における採光装置の要部構成を部分的に示す断面図。
【図１１】第３実施形態における採光装置の概略構成を示す図。
【図１２】第３実施形態における採光装置の作用効果（採光状態）を説明するための図。
【図１３】第３実施形態における採光装置の作用効果（遮光状態）を説明するための図。
【図１４】第３実施形態における採光装置の変形例（ロールスクリーン方式）を示す図。
【図１５】第３実施形態における採光装置の変形例（貼り付け方式）を示す図。
【図１６Ａ】第３実施形態における減光部材の例を示す第１の図。
【図１６Ｂ】第３実施形態における減光部材の例を示す第２の図。
【図１６Ｃ】第３実施形態における減光部材の例を示す第３の図。
【図１７】第４実施形態における実施例１の採光装置の概略構成を示す図。
【図１８】第４実施形態における実施例１の採光装置の作用効果を示す図。
【図１９】第４実施形態における実施例１の採光装置の作用効果を示す図。
【図２０】第４実施形態における実施例２の採光装置の概略構成を示す図。
【図２１】第４実施形態における実施例３の採光装置の概略構成を示す図。
【図２２】第５実施形態における実施例１の採光装置の概略構成を示す図。
【図２３】第５実施形態における実施例２の採光装置の概略構成を示す図。
【図２４】実施例１，２の採光装置の作用効果を説明するための図。
【図２５】第６実施形態における採光装置の設置状態を示す図。
【図２６Ａ】第６実施形態における採光装置の開閉状態を示す第１の図。
【図２６Ｂ】第６実施形態における採光装置の開閉状態を示す第２の図。
【図２７Ａ】第６実施形態における採光装置の変形例としてロールスクリーンを示す第１の図。
【図２７Ｂ】第６実施形態における採光装置の変形例としてロールスクリーンを示す第２の図。
【図２８Ａ】第６実施形態における採光装置の変形例として採光パネルを示す第１の図。
【図２８Ｂ】第６実施形態における採光装置の変形例として採光パネルを示す第２の図。
【図２８Ｃ】第６実施形態における採光装置の変形例として採光パネルを示す第３の図。
【図２９】第６実施形態における採光装置の作用効果を説明するための図。
【発明を実施するための形態】
【００２０】
以下、本発明の各実施形態の採光装置について説明する。
なお、以下の各図面においては、各構成要素を見やすくするため、構成要素によって寸法の縮尺を異ならせて示すことがある。
各実施形態の採光装置は、例えば、ベランダやバルコニーあるいはテラスなどの庇や軒によって日射が遮られる空間を有する建築構造において使用される。
【００２１】
[第１実施形態]
図１は、第１実施形態における採光装置の設置状態を示す図である。図２は、第１実施形態における採光装置の設置状態を示す図である。図３は、第１実施形態における採光装置の構成を示す断面図である。
【００２２】
図１に示すように、本実施形態の採光装置１は、例えば、ベランダ３の庇２や軒に遮られることなく太陽光に照射されるベランダ３の手すり部１８や柵５に設置される。
【００２３】
採光装置１は、図２に示すように、採光構造体９と、採光構造体９を支持する複数の支持部材１２と、を有して構成され、これら複数の支持部材１２を介して採光構造体９がベランダ３の柵５（手すり部１８でもよい）に沿って取り付けられる。本実施形態では、採光装置１を柵５の外側あるいは内側に取り付けることが可能であるが、転落防止のため、柵５の内側（ベランダ３内）に取り付けることが好ましい。
柵５に設置された状態で、縦格子６を構成する複数の柵棒７の間から採光装置１に太陽光が入射する。
【００２４】
採光構造体９は、図３に示すように、採光部材１１と、採光部材１１からの射出光を拡散させる異方性光拡散フィルム１６と、を有して構成されている。
採光部材１１は、光透過性を有する採光フィルム１４と、光透過性を有する第１基材１３とを有する。
採光フィルム１４は、第１基材１３の第1面１３ａ側に設けられ、複数の採光部４と、複数の採光部４の間に設けられた空隙部１５と、を有する。
【００２５】
複数の採光部４のそれぞれは、透光性を有し、数十〜数百μｍオーダーの微細突起構造である。採光部４は、ストライプ状に設けられ、各々が水平方向に延在し、鉛直方向に互いに平行に配置されている。採光部４は、長手方向と直交する断面形状が多角形状をなす。なお、採光部４の断面形状は図示したものに限られず、採光装置１の用途等に応じて適宜設計変更することも可能である。すなわち、採光部４は、採光機能を奏することができる形状であれば、長手方向と垂直な断面形状が、三角形状または曲面形状などであってもよい。
【００２６】
複数の採光部４は、例えばアクリル樹脂やエポキシ樹脂、シリコーン樹脂等の光透過性および感光性を有する有機材料で構成されている。これら樹脂に重合開始剤、カップリング剤、モノマー、有機溶媒などを混合した透明樹脂製の混合物を用いることができる。
さらに、重合開始剤は安定剤、禁止剤、可塑剤、蛍光増白剤、離型剤、連鎖移動剤、他の光重合性単量体等のような各種の追加成分を含んでいてもよい。
採光部４の全光線透過率は、ＪＩＳ  Ｋ７３６１−１の規定で９０％以上が好ましい。
これにより、十分な透明性を得ることができる。
【００２７】
隣り合う採光部４の間に設けられる空隙部１５には、空気が存在している。したがって、空隙部１５の屈折率は概ね１．０である。空隙部１５の屈折率を１．０とすることにより、空隙部１５と採光部４との界面における臨界角が最小となる。第１基材１３の屈折率と、採光部４の屈折率とが大きく異なる場合、光が採光部４から第１基材１３に入射したときに、これら採光部４と第１基材１３との界面で不要な光の屈折や反射が生じることがある。この場合、所望の採光特性が得られない、または輝度が低下するなどの不具合が生じることがある。採光部４との屈折率と第１基材１３の屈折率とを略同等とすることで、所望の採光特性を得て、光の利用効率を高めるとともに、グレア光を低減させることが可能である。
【００２８】
第１基材１３としては、例えば熱可塑性ポリマーや熱硬化性樹脂、光重合性樹脂等の樹脂類等からなる光透過性の基材が用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などからなる光透過性の基材が用いられる。具体的には、例えばトリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等の光透過性の板材が好ましく用いられる。そのほかに第１基材１３は、ガラス基材であってもよい。第１基材１３の厚みは任意である。また、複数の材質が積層された積層構造であってもよい。第１基材１３の全光線透過率は、ＪＩＳ  Ｋ７３６１−１の規定で９０％以上が好ましい。これにより、十分な透明性を得ることができる。
【００２９】
支持部材１２としては、既存の部材が用いられ、例えば、柵棒７に採光部材１１を固定することができれば構成は特に問わない。例えば、柵棒７をクランプする治具やパイプ取付金具などが挙げられる。
【００３０】
異方性光拡散フィルム１６は、採光部材１１の背面１１ｂ（第１基材１３の第２面１３ｂ）側に設けられており、鉛直方向よりも水平方向に強い光拡散性を示すように構成されている。異方性光拡散フィルム１６としては、例えば、ルミニット社製の光拡散制御フィルム（商品名：ＬＳＤ）のように、サーフェス・レリーフ・ホログラムパターンによりμｍレベルの凹凸構造を形成したものを用いることができる。
【００３１】
本実施形態では、図３に示す採光装置１において、複数の採光部４を有する採光部材１１の微細構造面１１ａをベランダ３の外側に向け、微細構造面１１ａとは反対側の背面１１ｂ（異方性光拡散フィルム１６）をベランダ３の内側（図１に示した窓１００３側）へ向けて設置しているが、設置する向きはこれに限らない。逆に、微細構造面１１ａをベランダ３の内側（窓１００３側）へ向け、背面１１ｂをベランダ３の外側へ向けて採光装置１を設置してもよい。
【００３２】
図４は、採光装置を設置していないベランダ内の日影を示す図である。
建物には窓１００３の外側に庇２や軒が設けられていることが多く、この庇２や軒の陰になってベランダ３や室内に入射する太陽光が遮られてしまう。日陰になる空間Ｋの大きさ（範囲）は、季節や時間帯などにもよるが、これを任意にコントロールすることはできない。
【００３３】
本実施形態の採光装置１は、庇２や軒を有する建物において庇２や軒の陰になることなく、太陽光が十分に照射される柵５や手すりに取り付けることができる。庇２や軒のある建物において日陰になる空間Ｋにおいて明るい環境を確保するためには、その空間Ｋへ、意図的に太陽光を照射させる必要がある。
【００３４】
図５は、第１実施形態における採光装置１が設置されたベランダ３の日射状態を示す図である。
本実施形態の採光装置１は、図５に示すように、ベランダ３の柵５に設置される。そのため、採光装置１に入射した太陽光は、微細構造によって屈折されて上方へ向かって射出される。庇２の陰になってしまう空間Ｋに、採光装置１からの射出光を照射させることで、明るい環境を確保することが可能となる。
【００３５】
図６は、第１実施形態における採光装置１の効果を説明するための図である。
ベランダ３の庇２の下や軒下には物干し竿が設置されることが多い。庇２や軒によって太陽光が遮られると、天日であっても洗濯物２６が陰干しになることがあるが、ベランダ３の柵５に採光装置１を設置することで太陽光を洗濯物２６に向けて射出させることができるので、天日干しと同じように洗濯物２６を短時間で乾燥させることが可能である。
【００３６】
ベランダ３の柵５に設置された採光装置１を通過した光は、おおよそベランダ３の天井方向に向きを変えて射出される。太陽は、季節及び時間によって高度と方位が変化するため、光の入射角度に従って庇２や軒による影響が変化する。そのため、庇２や軒の影響を受けない手すりや柵５の部分に採光装置１を設置することで、庇２や軒の日陰となっていた空間Ｋに、より長い時間、十分な太陽光を照射することができる。
また、手すりや柵５に採光装置１を設置することによって、室内からの眺望性を維持しつつ、屋外からの目隠しにもなる。
【００３７】
なお、採光装置１（採光部材１１）は、反射、屈折、散乱、回折等の光学現象によって光の角度を変える機能を有するものであり、上述した構成に限定されるものではない。
【００３８】
図７は、柵５に一体化された採光装置１による採光状態を示す図である。
図７に示すように、本実施形態の採光装置１は、例えば、固定部材（支持部材）４７を用いて柵５と一体化された構成であってもよい。つまり、採光機能付きの柵５としても構わない。構成の一例として、柵５の縦格子６を構成する複数の柵棒７どうしの間に採光装置１をそれぞれ嵌め込むことによって、柵５と採光装置１との間に設置に伴う隙間がなくなり、光の利用効率が高められる。また、ベランダ３内に採光装置１が突出することがなくなるため、ベランダ３を広く有効に活用することができる。
なお、一体型であっても、メンテナンスや交換が可能なように取り外し自在に設置されていてもよい。
【００３９】
また、採光装置１が、例えば、自然光（太陽光）の輻射熱を遮断するための光透過性を有する断熱フィルム（断熱部材）、赤外光（ＩＲ）を反射させるＩＲ反射フィルムあるいはデザインシートを具備する構成としてもよい。
【００４０】
図８Ａ〜図８Ｄは、第１実施形態における採光部材の変形例を示す図である。
例えば、図８Ａに示す採光部材１１Ａのように、長手方向に交差する方向の断面形状が三角形をなす採光部４Ａを備える構成としてもよい。
また、図８Ｂに示す採光部材１１Ｂのように、長手方向に交差する方向の断面形状の一部に曲面を有する採光部４Ｂを備える構成としてもよい。
あるいは、図８Ｃに示す採光部材１１Ｃのように、長手方向に交差する方向の断面形状が略三角柱状を呈する採光部４Ｃだけで構成される採光部材としてもよい。採光部４Ｃは、アルミニウムのインゴットからフライス盤等を用いて削り出すことで作製される。
採光部４Ｃは、採光部４Ｃに入射した光を反射させる反射面４ｂを有している。
【００４１】
本実施形態では、μｍレベルの凹凸構造を有する光拡散制御フィルムを異方性光拡散フィルム１６として用いる例を挙げたが、これに限られず、異方性光拡散フィルム１６に代えて、例えば、図８Ｄに示すように、レンチキュラーレンズ型の拡散板１７を備える構成としてもよい。拡散板１７は、例えば、複数のレンチキュラーレンズ１９と、複数のレンチキュラーレンズ１９を支持する支持板８とからなり、支持板８のレンチキュラーレンズ１９側とは反対側の面８ａを採光部材１１Ｄの第１基材１３の第２面１３ｂに貼り合わせられる。
【００４２】
［第２実施形態］
次に、本発明の第２実施形態の採光装置２０について説明する。
以下に示す本実施形態の採光装置２０の基本構成は、上記第１実施形態と略同様であるが、透明保護カバー２３を備えている点において異なる。よって、以下の説明では、第１実施形態とは異なる部分について詳しく説明し、共通な箇所の説明は省略する。また、説明に用いる各図面において、図１〜図８Ｄと共通の構成要素には同一の符号を付すものとする。
【００４３】
図９は、第２実施形態における採光装置の全体構成を示す斜視図である。
図１０は、第２実施形態における採光装置の要部構成を部分的に示す断面図である。
本実施形態の採光装置２０は、図９に示すように、上述した採光構造体９と、採光構造体９の周囲を覆う透明保護カバー２３と、を備えている。
採光構造体９は、図１０に示すように、先の実施形態で述べた採光部材１１、第１基材１３及び異方性光拡散フィルム１６を備えている。
【００４４】
透明保護カバー２３は、第１透光性保護部材（透光性保護部材）２１、第２透光性保護部材（透光性保護部材）２２及びフレーム２４から構成されている。
第１透光性保護部材２１及び第２透光性保護部材２２は、互いに略等しい大きさを有する平面視矩形状の透明な平板部材からなる。第１透光性保護部材２１は、採光構造体９の採光部材１１における微細構造面１１ａ側に配置され、微細構造面１１ａの略全面を覆う。第２透光性保護部材２２は、採光部材１１の微細構造面１１ａとは反対側の背面１１ｂ側に配置され、異方性光拡散フィルム１６の略全面を覆う。
【００４５】
フレーム２４は、平面視矩形状の枠形状をなし、採光構造体９と、採光構造体９を介して対向配置された第１透光性保護部材２１及び第２透光性保護部材２２と、の周囲を保持する。
【００４６】
材料としては、例えば、ポリカーボネート、アクリルなどの樹脂材料またはガラスなどが挙げられる。第１透光性保護部材２１及び第２透光性保護部材２２としては、耐光特性、耐ＵＶ特性を有していることが望ましい。
【００４７】
透明保護カバー２３としては、上述した構成に限られず、採光構造体９の光入射面側及び光射出面側に対向する平面部分が透明であればよい。
例えば、第１透光性保護部材２１、第２透光性保護部材２２及びフレーム２４のうち、少なくとも一部が一体化されていてもよい。
また、例えば、上述したような平板部材ではなく、一対の透光性保護フィルムであってもよく、採光部材１１の微細構造面１１ａ及び異方性光拡散フィルム１６の光射出面１６ｂに対して、それぞれ貼り合わせてもよい。
【００４８】
本実施形態の採光構造体９をそのまま屋外で使用すると、採光構造体９の微細構造等にごみや汚れが付着して射出光の減少や散乱などが生じてしまい、十分な採光効果を得ることが難しい。
【００４９】
そこで、採光構造体９を透明保護カバー２３で覆うことにより、採光部材１１の微細構造面１１ａおける複数の採光部４の表面や空隙部１５内に空気中の塵や埃等が付着するのを防ぐことができる。また、異方性光拡散フィルム１６の凹凸構造面に対しても、塵や埃等が付着するのを防ぐことができる。
【００５０】
本実施形態の構成によれば、塵や埃の付着に起因する射出光の減少や散乱などを防ぐことができ、十分な光量の射出光を得ることができる。さらに、屋外で使用する採光装置２０であるため、採光構造体９を透明保護カバー２３で覆うことで採光構造体９の劣化を長期的に抑えることができる。
【００５１】
［第３実施形態］
次に、本発明の第３実施形態の採光装置について説明する。
以下に示す本実施形態の採光装置３０の基本構成は、上記第１実施形態と略同様であるが、遮光板（遮光部材）３２をさらに備えている点において異なる。よって、以下の説明では、第１実施形態とは異なる部分について詳しく説明し、共通な箇所の説明は省略する。また、説明に用いる各図面において、図１〜図８Ｄと共通の構成要素には同一の符号を付すものとする。
【００５２】
図１１は、第３実施形態における採光装置３０の概略構成を示す図である。
本実施形態の採光装置３０は、採光構造体９および透明保護カバー２３を有する採光ユニット３１と、遮光板（遮光部材）３２と、ガイドレール（ガイド部材）３３と、を備えている。
採光ユニット３１を構成する採光構造体９および透明保護カバー２３は、上述した第２実施形態と略同様の構成であるため、説明を省略する。
【００５３】
遮光板３２は、採光ユニット３１の光射出側に配置されている。遮光板３２は、採光ユニット３１から射出される射出光の略全てを遮光可能な大きさを有しており、ガイドレール３３に沿って一方向へ往復移動可能とされている。
【００５４】
ガイドレール３３は、柵５の内側のベランダ３の床面に柵５に平行して設置され、延在方向に沿って設けられた案内溝３４内に、採光ユニット３１及び遮光板３２の下端側が挿入保持されている。ガイドレール３３の延在長さは、採光ユニット３１の大きさや遮光板３２のスライド範囲等に応じて、適宜設計の変更が可能である。
【００５５】
本実施形態では、柵５の内側にガイドレール３３を設置したが、柵５の外側にガイドレール３３を設置して、採光ユニット３１の光入射側に遮光板３２を配置する構成としてもよい。また、採光ユニット３１の上端側に、採光ユニット３１の下端側を支持するガイドレール３３に対向するガイドレールをもう一つ設け、採光ユニット３１を上下方向から挟み込むようにしてスライド可能に把持する構成としてもよい。これにより、採光ユニット３１を安定して設置することができるとともに採光ユニット３１をよりスムーズに移動させることができる。
【００５６】
なお、本実施形態では、案内溝３４内に、採光ユニット３１及び遮光板３２の両方を挿入保持する構成となっているが、遮光板３２だけを挿入させる構成にしてもよい。
【００５７】
また、本実施形態では、遮光板３２としてポリカーボネート製の板状部材を用いているが、これに限られず、金属製など光不透過性の材料により構成されたものであれば用いることができる。
光不透過性の材料としては、例えば、アルミニウム箔、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等の光透過性の樹脂に顔料を添加して、所定の形状に成形してなるフィルム（基材）等が用いられる。
【００５８】
なお、本発明の一態様に係る遮光部材として、光を反射させる反射板を用いても構わない。
また、本実施形態では、採光ユニット３１の光射出側に遮光板３２を設置したが、採光ユニット３１の光入射側に設置しても構わない。
【００５９】
本実施形態の採光装置３０では、光の透過方向（通過方向）で採光ユニット３１に重なる進出位置と、採光ユニット３１に重ならない退避位置と、の間で遮光板３２をスライド移動させることで、採光状態を遮光状態とを任意に切り替えることができる。また、進出位置と退避位置との間の任意の位置であっても遮光板３２を停止させることが可能であることから、採光具合、遮光具合について適宜調整することができる。本実施形態の採光装置３０により、ベランダ３やバルコニー内において庇２や軒下の空間Ｋへ射出される光の量を調整することで、室内に居る人が感じる眩しさを低減させることができる。
【００６０】
図１２は、第３実施形態における採光装置３０の作用効果（採光状態）を説明するための図である。
図１２に示すように、例えば、ベランダ３に洗濯物２６を干している間は遮光板３２を退避位置へと移動させておき、採光ユニット３１から洗濯物２６に向けて十分に光が照射されるようにしてもよい。これにより、洗濯物２６が直射日光に晒されるのと同じ状態にすることができ、洗濯物２６の乾燥を促すことができる。
【００６１】
図１３は、第３実施形態における採光装置３０の作用効果（遮光状態）を説明するための図である。
また、図１３に示すように、ベランダ３に洗濯物を干していないときなど、ベランダ３内に光を採り入れる必要のない場合には、光の透過方向で採光ユニット３１と重なる進出位置へ遮光板３２を移動させておくことで、室内に居る人が眩しさを感じるのを低減させることができる。
【００６２】
図１４は、第３実施形態における採光装置の変形例（ロールスクリーン方式）を示す図である。
図１４に示すように、採光ユニット３１の光入射側及び光射出側のいずれか一方に、遮光性を有するロールスクリーン３５を設けてもよい。ロールスクリーン３５は、採光ユニット３１からの射出光を遮光する遮光スクリーン３５Ａを備え、例えば、採光ユニット３１の上端側に設置される。遮光スクリーン３５Ａを上下方向に巻き上げ自在なため、省スペースに設置することができる。この場合、風などによって遮光スクリーン３５Ａが浮き上がってしまわないように、例えば、枠等を設け、遮光スクリーン３５Ａの下端側や両側が採光ユニット３１に対して規制されていることが好ましい。
なお、本発明の一態様による遮光部材として、上述したロールスクリーン３５に代えて、上下方向に折り畳み自在なブラインドを用いてもよい。
【００６３】
図１５は、第３実施形態における採光装置の変形例（貼り付け方式）を示す図である。
図１５に示すように、採光ユニット３１の光入射側及び光射出側のいずれか一方に、遮光性を有するシート部材３６を貼り合わせてもよい。シート部材３６は、採光ユニット３１に対して取り外し自在に貼り付けられるもので、季節などに応じて、遮光状態、採光状態を任意に選択することができる。例えば、水で洗えば粘着力が復活するような特性を有していれば、長期的に繰り返し再利用することができるためコストを抑えることができる。
【００６４】
図１６Ａ〜図１６Ｃは、第３実施形態における減光部材の例を示す図である。
本実施形態では、採光ユニット３１から射出される光を遮光する遮光部材を備える構成について述べたが、これに限られず、一部の光を遮ることによって射出光を減光させる減光部材であってもよい。減光部材としては、図１６Ａに示すような金属板に多数の孔を設けたパンチングメタル（減光部材）３７、図１６Ｂに示すような簾（減光部材）３８、図１６Ｃに示すようなネット（減光部材）３９等が挙げられる。
【００６５】
［第４実施形態］
次に、本発明の第４実施形態の採光装置４３について説明する。
以下に示す本実施形態の採光装置４３の基本構成は、上記第１実施形態と略同様であるが、移動機能を備えている点において異なる。よって、以下の説明では、第１実施形態とは異なる部分について詳しく説明し、共通な箇所の説明は省略する。また、説明に用いる各図面において、図１〜図８Ｄと共通の構成要素には同一の符号を付すものとする。
【００６６】
（実施例１）
図１７は、第４実施形態における実施例１の採光装置４３の概略構成を示す図である。
図１８及び図１９は、第４実施形態における実施例１の採光装置４３の作用効果を示す図である。
図１７に示す採光装置４３は、リング状の一対の取付具（支持部材）２５，２５を備えており、これら取付具２５，２５を介して、採光ユニット４１をベランダ３の手すり部１８やガイドポールに取り付けて使用する構成となっている。取付具２５としては、採光ユニット４１を、手すり部１８に対して移動可能に取り付けることができれば特に問わない。例えば、フック、針金、紐のようなものであってもよい。
【００６７】
このように、取付具２５，２５を介して採光ユニット４１を手すり部１８に宙吊りにさせることにより、手すり部１８に沿ってスライド可能な採光装置４３とすることができる（図１８）。図１８に示すように、複数の採光装置４３をベランダ３の柵５の手すり部１８（またはガイドポール）に取り付けて、各採光装置４３を任意の位置に移動させて使用することができる。例えば、図１９に示すように、洗濯物２６へ光を届けるために有効な場所に採光装置４３を配置して洗濯物２６の乾燥を早めるとともに、ベランダ３にプランター２７等を配置して植物や野菜を栽培している場合には、採光装置４３をスライド移動させて隙間を設けるようにし、プランター２７に直射日光が照射されるようにしてもよい。このように、手すり部１８に対して複数の採光装置４３を移動可能に設ける形態とすることにより、ベランダ３の任意の場所にそれぞれの採光装置４３を移動させることができるため、利便性を高めることができる。
【００６８】
（実施例２）
図２０は、第４実施形態における実施例２の採光装置４０の概略構成を示す図である。
図２０に示すように、実施例２における採光装置４０は、採光構造体９および透明保護カバー２３を有する採光ユニット４１と、採光ユニット４１を一方向へ往復移動させるガイドレール４２と、を有して構成されている。なお、本実施形態においても、採光ユニット４１に対して、上述した遮光部材や減光部材をさらに備えた構成であってもよい。
採光ユニット４１を構成する採光構造体９および透明保護カバー２３は、上述した第２実施形態と略同様の構成であるため、説明を省略する。
【００６９】
採光ユニット４１は、その下端側がガイドレール４２の案内溝４２ａ内に挿入されて保持され、案内溝４２ａに沿って一方向に往復移動する。
【００７０】
（実施例３）
図２１は、第４実施形態における実施例３の採光装置４４の概略構成を示す図である。
図２１に示すように、実施例３における採光装置４４は、先の構成とは異なり、柵５に取り付けるものではなく、自立する形態となっている。採光装置４４は、一対の支持脚（支持部材）４５，４５を介してベランダ３の床面に載置できる形態とされている。支持脚４５，４５は、採光ユニット４１の下部に取り付けられ、例えば、採光ユニット４１の高さ位置を調整できる機能を有していてもよい。
各支持脚４５は、例えば、図２１に示すように、採光ユニット４１の前後（光入射面側及び光射出面側）にそれぞれ突き出た第１支持部４５Ａ及び第２支持部４５Ｂを有している。これにより、４点支持となり、採光ユニット４１が倒れるのを防ぐ効果が高まる。
【００７１】
［第５実施形態］
次に、本発明の第５実施形態の採光装置５０Ａ，５０Ｂについて説明する。
以下に示す本実施形態の採光装置５０Ａ，５０Ｂの基本構成は、上記第１実施形態と略同様であるが、幅方向の採光面積を任意に変えられる点において異なる。よって、以下の説明では、第１実施形態とは異なる部分について詳しく説明し、共通な箇所の説明は省略する。また、説明に用いる各図面において、図１〜図８Ｄと共通の構成要素には同一の符号を付すものとする。
【００７２】
（実施例１）
図２２は、第５実施形態における実施例１の採光装置５０Ａの概略構成を示す図である。図２４は、実施例１の採光装置５０Ａの作用効果を説明するための図である。
図２２に示すように、実施例１の採光装置５０Ａは、複数の採光ユニット５１と、複数の採光ユニット５１と連結する連結部材５２と、柵５に沿って設けられた不図示のレールと、を有して構成されており、複数の採光ユニット５１をレールに沿って移動させて任意の位置に配置できるようになっている。各採光ユニット５１は、各々の微細構造面１１ａ側がベランダ３の外側に向くように揃えて連結される。
【００７３】
本実施形態では、複数の採光ユニット５１が連結部材５２を介して連結された構成となっており、使用する採光ユニット５１の数を調整することができる。つまり、採光装置５０Ａの採光面積を任意に変えることができる。また、使用しない採光ユニット５１がある場合には、採光ユニット５１どうしを互いに折り重ねて（畳んで）収納することが可能である。また、本実施形態では、連結部材５２として、例えば蝶番が用いられ、採光ユニット５１を後から容易に増減させることが可能である。
これにより、採光装置５０Ａの採光面積を任意に変えることができる。
【００７４】
（実施例２）
図２３は、第５実施形態における実施例２の採光装置５０Ｂの概略構成を示す図である。図２４は、実施例２の採光装置５０Ｂの作用効果を説明するための図である。
図２３に示すように、実施例２の採光装置５０Ｂは、複数の採光ユニット５３と、採光ユニット５３ごとに設けられた可動部５４と、柵５に沿って設けられた不図示のレールと、を有して構成されており、複数の採光ユニットを５３にレールに沿って移動させて任意の位置に配置できるようになっている。
【００７５】
可動部５４は、図２３に示すように円柱状の部材からなり、帯状の採光ユニット５３の長手方向一端（上端）に設けられた第１可動部５４ａと、長手方向他端（下端）側に設けられた第２可動部５４ｂと、を有している。可動部５４は、採光ユニット５３の長手方向に沿う中心線上に設けられている。可動部５４は、採光ユニット５３の短手方向に回転する回転軸Ｏを有している。これにより、各採光ユニット５３は、可動部５４の回転軸Ｏを中心に回転（可動）するようになっている。
【００７６】
本実施形態では、各採光ユニット５３の可動部５４が、太陽の動きに追従して、採光ユニット５３が太陽の方位を向くように可動する。そのため、太陽の方位が変化しても、各採光ユニット５３に入射する太陽光を、ベランダ３において庇２や軒の日陰となる空間Ｋへ向けて効率よく射出させることができる。これにより、建物の構造上、日中でも日の当たらない空間において太陽光を使用することができる。
【００７７】
本実施形態における採光装置５０Ｂは、複数の採光ユニット５３によって採光面積が分割された構成されているため、柵５の延在方向、つまり室内側から見てベランダ３の左右方向における採光面積を使用者が任意に調整することができる。また、使用しない採光ユニット５３がある場合には、可動部５４を回転させることによって、採光ユニット５３どうしを互いに重ねて収納することが可能である。
【００７８】
［第６実施形態］
次に、本発明の第６実施形態の採光ブラインド６０について説明する。
以下に示す本実施形態の採光ブラインド６０の基本構成は、上記第１実施形態と略同様であるが、高さ方向の採光面積を任意に変えられる点において異なる。よって、以下の説明では、第１実施形態とは異なる部分について詳しく説明し、共通な箇所の説明は省略する。また、説明に用いる各図面において、図１〜図８Ｄと共通の構成要素には同一の符号を付すものとする。
【００７９】
図２５は、第６実施形態における採光ブラインド６０の設置状態を示す図である。図２６Ａ及び図２６Ｂは、第６実施形態における採光ブラインド６０の開閉状態を示す図である。
図２５に示すように、本実施形態の採光ブラインド（採光装置）６０は、互いに水平方向に平行に並ぶ複数の採光スラット（スラット）６１と、複数の採光スラット６１を鉛直方向に吊下げ自在に支持する支持機構６２と、を主として構成されている。採光ブラインド６０は、ベランダ３の柵５の内側（あるいは外側）に設置される。採光ブラインド６０では、複数の採光スラット６１を昇降自在に支持するとともに、複数の採光スラット６１を傾動自在に支持している。
【００８０】
採光スラット６１は、例えば、一方向に延在するスラット本体（不図示）の一面側に上述した採光フィルム１４が貼り合わされてなる。
【００８１】
支持機構６２は、採光スラット６１に対して設けられた一対の採光スラット用のラダーコード７１，７１と、一対のラダーコード７１，７１の各上端部を支持する固定ボックス７３と、一対のラダーコード７１，７１の各下端部に取り付けられる昇降バー６４と、を備えている。支持機構６２は、一対のラダーコード７１，７１に平行する昇降コード７２をさらに備えており、使用者がこの昇降コード７２を操作することにより、図２６Ａ及び図２６Ｂに示すように、採光スラット６１を展開及び収納することができる。
【００８２】
本実施形態における採光ブラインド６０によれば、高さ方向の採光面積を任意に変えることができる。また、図２５に示すように、採光ブラインド６０は、入射した光の向きを上方向へ変えて射出する。そのため、採光ブラインド６０の上側よりも下側の採光スラット６１に入射した光の方がより離れた位置へ光を送ることができる。例えば、室内に居る人が眩しさを感じる場合には、下側の採光スラット６１を畳んで非採光状態とし、上側の採光スラット６１のみを採光に使用するなど、使い分けることが可能である。
【００８３】
図２７Ａ及び図２７Ｂは、第６実施形態における採光装置の変形例として採光ロールスクリーンを示す図である。
本実施形態の変形例としては、例えば、図２７Ａ及び図２７Ｂに示すような巻き上げ式の採光ロールスクリーン６５や、図２８Ａ〜図２８Ｃに示すような積み木方式の採光パネル６６が挙げられる。
図２７Ａ及び図２７Ｂに示す採光ロールスクリーン（採光装置）６５は、採光スクリーン（採光部材）６７と、採光スクリーン６７を巻き取り自在に支持する巻取機構６８と、を備えている。採光スクリーン６７は、例えば、透明なスクリーン本体の一面側に上述した採光フィルム１４が貼り合わされてなる。巻取機構６８によって採光スクリーン６７を巻き上げたり巻き出したりすることによって、採光スクリーン６７による採光面積を高さ方向で任意に変えることができる。
【００８４】
図２８Ａ〜図２８Ｃは、第６実施形態における採光装置の変形例として採光パネルを示す図である。
図２８Ａ，図２８Ｂ，図２８Ｃに示す採光パネル（採光装置）６６は、例えば、ベランダ３の床面に立設された一対のパネル枠６３，６３と、これらパネル枠６３，６３の間に挿入される複数の採光パネル板（採光部材）６９と、を備えている。採光パネル板６９は、例えば、上述した採光部材１１あるいは採光構造体９から構成される。パネル枠６３，６３間に複数の採光パネル板６９を下から積み上げることによって、高さ方向における採光面積の任意に変えることができる。
【００８５】
図２９は、第６実施形態における採光装置の作用効果を説明するための図である。
図２９に示すように、採光ブラインド６０や採光ロールスクリーン６５によれば、高さ方向の採光面積を任意に調整することができるので、例えば、採光ブラインド６０あるいは採光ロールスクリーン６５の下側を収納することによって、ベランダ３の床面に置かれた鉢植え等に直射日光を当てることができる。また、採光ブラインド６０あるいは採光ロールスクリーン６５の上側を使用することで、天井側に干された洗濯物２６に太陽光を送ることができ、乾燥を促すことができる。
このように、用途に応じて採光状態と非採光状態との切り替えが容易であり、良好な採光空間を提供することができる。
【００８６】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【００８７】
本発明の一態様は、室内からの眺望性を低下させることなく庇や軒の影となる空間への日射を確保することが必要な採光装置などに適用することができる。
【符号の説明】
【００８８】
１，２０，３０，４０，４３，４４，５０Ａ，５０Ｂ…採光装置、２…庇、４，４Ａ，４Ｂ，４Ｃ…採光部、１１，１１Ａ，１１Ｂ，１１Ｃ，１１Ｄ…採光部材、１１ａ…微細構造面、１１ｂ…背面、１２…支持部材、１３…第１基材、１３ａ…第１面、１５…空隙部、１６ｂ…光射出面、１８…手すり部、２１…第１透光性保護部材（透光性保護部材）、２２…第２透光性保護部材（透光性保護部材）、２５…取付具（支持部材）、３２…遮光板（遮光部材）、３３…ガイドレール（ガイド部材）、３７…パンチングメタル（減光部材）、３８…簾（減光部材）、３９…ネット（減光部材）、４５…支持脚（支持部材）、４７…固定部材（支持部材）、５２…連結部材、６０…採光ブラインド（採光装置）、６１…採光スラット（スラット）、６２…支持機構、６３…パネル枠、６５…採光ロールスクリーン（採光装置）、６６…採光パネル（採光装置）、６７…採光スクリーン（採光部材）、６８…巻取機構、６９…採光パネル板（採光部材）、７３…固定ボックス、１００３…窓、Ｋ…空間、Ｏ…回転軸
【図１】
2018003970.tif 000003
【図２】
2018003970.tif 000004
【図３】
2018003970.tif 000005
【図４】
2018003970.tif 000006
【図５】
2018003970.tif 000007
【図６】
2018003970.tif 000008
【図７】
2018003970.tif 000009
【図８Ａ】
2018003970.tif 000010
【図８Ｂ】
2018003970.tif 000011
【図８Ｃ】
2018003970.tif 000012
【図８Ｄ】
2018003970.tif 000013
【図９】
2018003970.tif 000014
【図１０】
2018003970.tif 000015
【図１１】
2018003970.tif 000016
【図１２】
2018003970.tif 000017
【図１３】
2018003970.tif 000018
【図１４】
2018003970.tif 000019
【図１５】
2018003970.tif 000020
【図１６Ａ】
2018003970.tif 000021
【図１６Ｂ】
2018003970.tif 000022
【図１６Ｃ】
2018003970.tif 000023
【図１７】
2018003970.tif 000024
【図１８】
2018003970.tif 000025
【図１９】
2018003970.tif 000026
【図２０】
2018003970.tif 000027
【図２１】
2018003970.tif 000028
【図２２】
2018003970.tif 000029
【図２３】
2018003970.tif 000030
【図２４】
2018003970.tif 000031
【図２５】
2018003970.tif 000032
【図２６Ａ】
2018003970.tif 000033
【図２６Ｂ】
2018003970.tif 000034
【図２７Ａ】
2018003970.tif 000035
【図２７Ｂ】
2018003970.tif 000036
【図２８Ａ】
2018003970.tif 000037
【図２８Ｂ】
2018003970.tif 000038
【図２８Ｃ】
2018003970.tif 000039
【図２９】
2018003970.tif 000040
【国際調査報告】
2018003970.tif 000041
2018003970.tif 000042
2018003970.tif 000043
2018003970.tif 000044
2018003970.tif 000045